【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
テキストメッセージと、前記テキストメッセージに関連付けられたハプティックコマンドとを、プロセッサからリモートデバイスに向けて送信する方法であって、
（ａ）少なくとも１つのエモティコンを有する前記テキストメッセージを含む入力を、ユーザから受け取るステップと、
（ｂ）前記リモートデバイスにおいて前記テキストメッセージを読むためのアプリケーションと対話するために操作または移動されるオブジェクト上にハプティック効果を生じさせるように構成されたハプティックコマンドを前記エモティコンに関連付けるステップと、
（ｃ）前記テキストメッセージおよび前記ハプティックコマンドを、前記リモートデバイスへ伝送するステップとを実行する、方法。
【請求項２】
前記エモティコンに関連付けて感情を決定するステップと、前記感情に関連付けて前記ハプティックコマンドを決定するステップとをさらに含み、
前記ステップ（ｂ）は、前記ハプティックコマンドと前記感情との間の決定された関連づけに基づいて、実行される、請求項１記載の方法。
【請求項３】
前記ハプティックコマンドは区切られたテキストコマンドを含み、
前記ステップ（ｂ）は、前記区切られたテキストコマンドをテキストメッセージに挿入することを含む、請求項２記載の方法。
【請求項４】
前記ハプティックコマンドは前記エモティコンと区切りとを含む、請求項１記載の方法。
【請求項５】
前記ステップ（ｂ）は、テキストメッセージの中にフォース情報を含めるステップを含む、請求項１記載の方法。
【請求項６】
前記ステップ（ｂ）は、前記エモティコンとそれに関連する前記ハプティックコマンドとを記載した所定のリストに基づいて、実行される、請求項１記載の方法。
【請求項７】
前記ステップ（ａ）は、前記所定のリストから、選定されたエモティコンを受け取るステップを含む、請求項６記載の方法。
【請求項８】
プロセッサからのテキストメッセージを、リモートデバイスで受信する方法であって、
（ａ）エモティコンを含む前記テキストメッセージを受信するステップと、
（ｂ）前記テキストメッセージを表示するステップと、
（ｃ）前記エモティコンに基づいてハプティック効果を決定するステップと、
（ｄ）前記ハプティック効果をユーザデバイスに出力するステップとを含む、方法。
【請求項９】
前記ステップ（ａ）は、前記テキストメッセージを読むためのアプリケーションと対話するために操作または移動される前記ユーサデバイスにハプティック効果を生じさせるように構成されたハプティックコマンドを受信し、
前記ステップ（ｃ）は、前記ハプティックコマンドを引き出す、請求項８記載の方法。
【請求項１０】
前記テキストメッセージは、ハプティックコマンドを含まない、請求項８記載の方法。
【請求項１１】
前記ステップ（ｃ）は、前記エモティコンとそれに関連するハプティックコマンドとを含む所定のリストを評価することによって、実行される、請求項８記載の方法。
【請求項１２】
前記ステップ（ａ）が前記エモティコンに関連付けられるフォース情報を含み、さらに、
（ｅ）前記フォース情報を記憶するステップと、（ｆ）前記エモティコンを含む第２のテキストメッセージを受け取るステップとを含み、
前記ステップ（ｃ）が記憶されたフォース情報にさらに基づいて、行われる、請求項８記載の方法。
【請求項１３】
プログラムコードを含むコンピュータ読み取り可能媒体であって、前記プログラムコードが、
（ａ）少なくとも１つのエモティコンを有する前記テキストメッセージを含む入力を、ユーザから受け取るプログラムコードと、
（ｂ）リモートデバイスにおいて前記テキストメッセージを読むためのアプリケーションと対話するために操作または移動されるオブジェクト上にハプティック効果を生じさせるように構成されたハプティックコマンドを前記エモティコンに関連付けるプログラムコードと、
（ｃ）前記テキストメッセージおよび前記ハプティックコマンドを、前記リモートデバイスへ伝送するプログラムコードとを含むコンピュータ読み取り可能媒体。
【請求項１４】
前記エモティコンに関連付けて感情を決定するプログラムコードと、前記感情に関連付けて前記ハプティックコマンドを決定するプログラムコードとをさらに含み、
前記プログラムコード（ｂ）は、前記ハプティックコマンドと前記感情との間の決定された関連づけに基づいて前記ハプティックコマンドを前記エモティコンに関連づけるプログラムコードを含む、請求項１３記載のコンピュータ読み取り可能媒体。
【請求項１５】
前記ハプティックコマンドは区切られたテキストコマンドを含み、
前記プログラムコード（ｂ）は、前記区切られたテキストコマンドをテキストメッセージに挿入するプログラムコードを含む、請求項１４記載のコンピュータ読み取り可能媒体。
【請求項１６】
前記ハプティックコマンドは前記エモティコンと区切りとを含む、含む請求項１３記載のコンピュータ読み取り可能媒体。
【請求項１７】
前記プログラムコード（ｂ）は、テキストメッセージの中にフォース情報を含めるプログラムコードを含む、請求項１３記載のコンピュータ読み取り可能媒体。
【請求項１８】
前記プログラムコード（ｂ）は、前記エモティコンとそれに関連する前記ハプティックコマンドとを記載した所定のリストに基づいて、前記ハプティックコマンドを前記エモティコンに関連づけるプログラムコードを含む、請求項１３記載のコンピュータ読み取り可能媒体。
【請求項１９】
前記プログラムコード（ａ）は、前記所定のリストから選定されたエモティコンを受け取るプログラムコードを含む、請求項１８のコンピュータ読み取り可能媒体。
【請求項２０】
（ａ）エモティコンを含むテキストメッセージを受信するプログラムコードと、
（ｂ）前記テキストメッセージを表示するプログラムコードと、
（ｃ）前記エモティコンに基づいてハプティック効果を決定するプログラムコードと、
（ｄ）前記ハプティック効果をユーザデバイスに出力するプログラムコードとを含む、コンピュータ読み取り可能媒体。
【請求項２１】
前記プログラムコード（ａ）は、前記テキストメッセージを読むためのアプリケーションと対話するために操作または移動されるユーサデバイスにハプティック効果を生じさせるように構成されたハプティックコマンドを受信するプログラムコードを含み、
前記プログラムコード（ｃ）は、前記ハプティックコマンドを引き出すプログラムコードを含む、請求項２０記載のコンピュータ読み取り可能媒体。
【請求項２２】
前記テキストメッセージは、ハプティックコマンドを含まない、請求項２０記載のコンピュータ読み取り可能媒体。
【請求項２３】
前記プログラムコード（ｃ）は、前記エモティコンとそれに関連するハプティックコマンドとを含む所定のリストを評価するプログラムコードを含む、請求項２０記載のコンピュータ読み取り可能媒体。
【請求項２４】
前記プログラムコード（ａ）が前記エモティコンに関連付けられるフォース情報を含み、さらに、
（ｅ）前記フォース情報を記憶するプログラムコードと、（ｆ）前記エモティコンを含む第２のテキストメッセージを受け取るプログラムコードとを含み、
前記プログラムコード（ｃ）が記憶されたフォース情報に基づいて、前記ハプティック効果を決定するプログラムコードを含む、請求項２０記載のコンピュータ読み取り可能媒体。
【請求項２５】
入力デバイスと、プロセッサとを含むデバイスであって、前記プロセッサが、
少なくとも１つのエモティコンを有するテキストメッセージを含む入力を、前記入力デバイス上のユーザから受け取り、
前記リモートデバイスにおいて前記テキストメッセージを読むためのアプリケーションと対話するために操作または移動されるオブジェクト上にハプティック効果を生じさせるように構成されたハプティックコマンドを前記エモティコンに関連付け、
前記テキストメッセージおよび前記ハプティックコマンドを、前記リモートデバイスへ伝送するように構成されている、デバイス。
【請求項２６】
前記プロセッサが、
前記エモティコンに関連付けて感情を決定し、前記感情に関連付けて前記ハプティックコマンドを決定し、
前記ハプティックコマンドと前記感情との間の決定された関連づけに基づいて、前記ハプティックコマンドを前記エモティコンに関連付けるようにさらに構成されている請求項２５記載のデバイス。
【請求項２７】
前記ハプティックコマンドは区切られたテキストコマンドを含み、
前記プロセッサは、前記区切られたテキストコマンドをテキストメッセージに挿入するように構成されている、請求項２６記載のデバイス。
【請求項２８】
前記ハプティックコマンドは前記エモティコンと区切りとを含む、含む請求項２５記載のデバイス。
【請求項２９】
前記プロセッサは、前記テキストメッセージの中にフォース情報を含めるようにさらに構成されている、請求項２５記載のデバイス。
【請求項３０】
前記プロセッサは、前記エモティコンとそれに関連する前記ハプティックコマンドとを記載した所定のリストに基づいて、前記ハプティックコマンドを前記エモティコンに関連づけるようにさらに構成されている、請求項２５記載のデバイス。
【請求項３１】
前記プロセッサは、前記所定のリストから選定されたエモティコンを受け取るようにさらに構成されている、請求項３０記載のデバイス。
【請求項３２】
表示スクリーンと、ハプティック出力デバイスと、プロセッサとを含むデバイスであって、前記プロセッサが、
エモティコンを含むテキストメッセージを受信し、
前記表示スクリーンに前記テキストメッセージを表示し、
前記エモティコンに基づいてハプティック効果を決定し、
前記ハプティック出力デバイスに、前記ハプティック効果をユーザデバイスに出力させるように構成されている、デバイス。
【請求項３３】
前記プロセッサは、前記テキストメッセージを読むためのアプリケーションと対話するために操作または移動されるユーザデバイスにハプティック効果を生じさせるように構成されたハプティックコマンドを受信し、前記ハプティックコマンドを引き出すようにさらに構成されている、請求項３２記載のデバイス。
【請求項３４】
前記テキストメッセージは、ハプティックコマンドを含まない、請求項３２記載のデバイス。
【請求項３５】
前記プロセッサは、前記エモティコンとそれに関連するハプティックコマンドとを含む所定のリストを評価するようにさらに構成されている、請求項３２記載のデバイス。
【請求項３６】
前記プロセッサは、前記エモティコンに関連付けられるフォース情報を受信し、前記フォース情報を記憶し、前記エモティコンを含む第２のテキストメッセージを受信し、前記記憶されたフォース情報に基づいて、前記ハプティック効果を決定するようにさらに構成されている、請求項３２記載のデバイス。
【手続補正２】
【補正対象書類名】明細書
【補正対象項目名】０００７
【補正方法】変更
【補正の内容】
【０００７】
本発明の請求項１記載の方法は、テキストメッセージと、前記テキストメッセージに関連付けられたハプティックコマンドとを、プロセッサからリモートデバイスに向けて送信する方法であって、（ａ）少なくとも１つのエモティコンを有する前記テキストメッセージを含む入力を、ユーザから受け取るステップと、（ｂ）前記リモートデバイスにおいて前記テキストメッセージを読むためのアプリケーションと対話するために操作または移動されるオブジェクト上にハプティック効果を生じさせるように構成されたハプティックコマンドを前記エモティコンに関連付けるステップと、（ｃ）前記テキストメッセージおよび前記ハプティックコマンドを、前記リモートデバイスへ伝送するステップとを実行する、方法である。
【手続補正３】
【補正対象書類名】明細書
【補正対象項目名】０００８
【補正方法】変更
【補正の内容】
【０００８】
本発明の請求項８記載の方法は、プロセッサからのテキストメッセージを、リモートデバイスで受信する方法であって、（ａ）エモティコンを含む前記テキストメッセージを受信するステップと、（ｂ）前記テキストメッセージを表示するステップと、（ｃ）前記エモティコンに基づいてハプティック効果を決定するステップと、（ｄ）前記ハプティック効果をユーザデバイスに出力するステップとを含む、方法である。
【手続補正４】
【補正対象書類名】明細書
【補正対象項目名】０００９
【補正方法】変更
【補正の内容】
【０００９】
本発明の請求項１３記載のプログラムコードを含むコンピュータ読み取り可能媒体は、前記プログラムコードが、（ａ）少なくとも１つのエモティコンを有する前記テキストメッセージを含む入力を、ユーザから受け取るプログラムコードと、（ｂ）リモートデバイスにおいて前記テキストメッセージを読むためのアプリケーションと対話するために操作または移動されるオブジェクト上にハプティック効果を生じさせるように構成されたハプティックコマンドを前記エモティコンに関連付けるプログラムコードと、（ｃ）前記テキストメッセージおよび前記ハプティックコマンドを、前記リモートデバイスへ伝送するプログラムコードとを含むコンピュータ読み取り可能媒体である。
【手続補正５】
【補正対象書類名】明細書
【補正対象項目名】００１０
【補正方法】変更
【補正の内容】
【００１０】
本発明の請求項２０記載のコンピュータ読み取り可能媒体、（ａ）エモティコンを含むテキストメッセージを受信するプログラムコードと、（ｂ）前記テキストメッセージを表示するプログラムコードと、（ｃ）前記エモティコンに基づいてハプティック効果を決定するプログラムコードと、（ｄ）前記ハプティック効果をユーザデバイスに出力するプログラムコードとを含むものである。
【手続補正６】
【補正対象書類名】明細書
【補正対象項目名】００１１
【補正方法】変更
【補正の内容】
【００１１】
本発明の請求項２５記載のデバイスは、入力デバイスと、プロセッサとを含むデバイスであって、前記プロセッサが、少なくとも１つのエモティコンを有するテキストメッセージを含む入力を、前記入力デバイス上のユーザから受け取り、前記リモートデバイスにおいて前記テキストメッセージを読むためのアプリケーションと対話するために操作または移動されるオブジェクト上にハプティック効果を生じさせるように構成されたハプティックコマンドを前記エモティコンに関連付け、前記テキストメッセージおよび前記ハプティックコマンドを、前記リモートデバイスへ伝送するように構成されている、デバイスである。
【手続補正７】
【補正対象書類名】明細書
【補正対象項目名】００１２
【補正方法】変更
【補正の内容】
【００１２】
本発明の請求項３２記載のデバイスは、表示スクリーンと、ハプティック出力デバイスと、プロセッサとを含むデバイスであって、前記プロセッサが、エモティコンを含むテキストメッセージを受信し、前記表示スクリーンに前記テキストメッセージを表示し、前記エモティコンに基づいてハプティック効果を決定し、前記ハプティック出力デバイスに、前記ハプティック効果をユーザデバイスに出力させるように構成されている、デバイスである。
【手続補正８】
【補正対象書類名】明細書
【補正対象項目名】００１３
【補正方法】削除
【補正の内容】